(57)【要約】      （修正有）【課題】放射線サーベイデータに対する信頼性を向上させる。【解決手段】空間線量率測定システム１０は、放射線測定器１、バーコードリーダ２、ＣＣＤカメラ３、放射線測定器１、バーコードリーダ２及びＣＣＤカメラ３に接続された携帯端末５から構成され、バーコードリーダ２は、放射線測定箇所に予め設置されたＩＤ表示を読み取り、ＣＣＤカメラ３は放射線測定箇所を撮影することができ、携帯端末５は、ホスト側システム等２０から予め定められた放射線測定箇所を少なくとも含む放射線測定箇所指示情報３０を受信する受信手段５ｃと、受信手段５ｃに接続されマップ又は写真上に放射線測定箇所を表示する指示手段５ｇと、放射線測定情報３１とＩＤ情報３２とを受信して、ＩＤ情報３２と指示手段５ｇによって指示された放射線測定箇所３０とを照合して、放射線測定が正しい放射線測定箇所で実行されたか否かを判定する判定手段５ａとを有する。【選択図】図１
2004205374.tif 000002
【特許請求の範囲】
【請求項１】
少なくとも空間線量率を測定する放射線測定器と、
予め定められた放射線測定箇所を少なくとも含む放射線測定箇所情報を指示する指示手段と、
前記予め定められた放射線測定箇所に予め設置されて前記放射線測定器によって測定する空間に対して付与されたＩＤ情報を読み取るＩＤ読取装置と、
前記ＩＤ読取装置によって読み取られ出力されたＩＤ情報と、前記指示手段によって指示された放射線測定箇所を照合して、放射線測定が正しい放射線測定箇所で実行されたか否かを判定する判定手段と、
前記放射線測定器が出力する放射線測定情報と前記ＩＤ情報又は前記測定箇所情報とを関連付けて保存及び／又は送信する手段と、
を有することを特徴とする空間線量率測定システム。
【請求項２】
前記判定手段は、前記放射線測定器が放射線測定を開始する前及び／又は終了した後に、前記照合を実行する判定手段である、
ことを特徴とする請求項１記載の空間線量率測定システム。
【請求項３】
前記判定手段は、前記放射線測定器が放射線測定中に、前記ＩＤ読取装置が前記ＩＤ表示を一回或いは二回以上又は継続して読み取って出力するＩＤ情報と、前記指示手段によって指示された放射線測定箇所とを照合して正しい放射線測定箇所か否かを判定する判定手段である、
ことを特徴とする請求項１又は２記載の空間線量率測定システム。
【請求項４】
放射線測定箇所ごとに前記ＩＤ読取装置が前記ＩＤ表示を読み取る時から前記放射線測定器が放射線測定を終了するまでの時間を計測する計時手段と、
前記計時手段が計測した時間が予め設定された閾値を超えた場合に放射線測定箇所ごとに前記放射線測定情報を無効とする測定情報無効手段と、
を有することを特徴とする請求項１〜３のいずれか一記載の空間線量率測定システム。
【請求項５】
前記判定手段の判定及び／又は前記測定情報無効手段の無効を警報する警報手段を有すること、
を特徴とする請求項１〜４のいずれか一記載の空間線量率測定システム。
【発明の詳細な説明】
【０００１】
【発明の属する技術分野】
本発明は、放射線の空間線量率測定システムに関する。
【０００２】
【従来の技術】
原子力施設における放射線サーベイデータは、関係法令及び規定・基準遵守状況の具体的証明となることから、高い信頼性が求められている。現状の放射線サーベイデータは、測定者が放射線測定器の指示値を読み取り、それをデータ用紙に転記することにより作成されている。
【０００３】
非特許文献１には、「放射線測定器から人手（目視、記入）を介さず測定器か直接放射線サーベイデータを自動作成できるものとした」放射線管理サーベイデータ作成システムが提案されている。
【０００４】
【非特許文献１】
「放射線管理サーベイデータ作成システムの開発」、2001年9月19〜21日、北海道大学、日本原子力学会「2001年秋の大会」予稿集、第１分冊（総論、放射線光学と加速器・ビーム化学、核融合光学、保健物理と環境科学）、５４頁
【０００５】
【発明が解決しようとする課題】
しかしながら、上記従来の放射線測定によれば、人手の介在する部分が大きく、例えば、放射線測定器の指示値の読み取りミス、転記ミス等が発生するおそれがあり、又データの誤記等により原子力への信頼性低下を招来するおそれがあり、特に、空間線量率の測定位置に誤りがあるとすれば、放射線管理に重大な影響を生じる可能性がある。また、空間線量率の経時変化を適切に評価して原子力施設の信頼性を維持、向上に努めることは、放射線管理業務の重要な使命でもある。
【０００６】
本発明の目的は、放射線サーベイデータに対する信頼性を向上させることができる空間線量率測定システムを提供することである。
【０００７】
【課題を解決するための手段】
本発明は、第１の視点において、少なくとも空間線量率を測定する放射線測定器と、予め定められた放射線測定箇所を少なくとも含む放射線測定箇所情報を指示する指示手段と、前記予め定められた放射線測定箇所に予め設置されて前記放射線測定器によって測定する空間に対して付与されたＩＤ情報を読み取るＩＤ読取装置と、前記ＩＤ読取装置によって読み取られ出力されたＩＤ情報と、前記指示手段によって指示された放射線測定箇所を照合して、放射線測定が正しい放射線測定箇所で実行されたか否かを判定する判定手段と、前記放射線測定器が出力する放射線測定情報と前記ＩＤ情報又は前記測定箇所情報とを関連付けて保存及び／又は送信する手段とを有する空間線量率測定システムを提供する。
【０００８】
本発明の空間線量率測定システムにおいては、ＩＤ情報が、特定の物ではなく、仕切られていない空間に付与されていることが特徴である。そして、本発明の空間線量率測定システムによれば、放射線測定が正しい放射線測定箇所で行われたか否かが確認することができるため、放射線サーベイデータに対する信頼性が向上される。詳細には、本発明によれば、データの改ざん防止、誤ったデータの保存、放射線測定箇所と放射線測定データとの対応関係のずれが防止される。さらに、本発明の空間線量率測定システムによれば、放射線サーベイデータの自動整理ができるため、測定における人手の介在が減少され、例えば、測定者による放射線測定データの転記ミス等、放射線測定箇所と放射線測定データの対応関係に関する記載ミスなど人的なミスが防止される。
【０００９】
【発明の実施の形態】
以下、本発明の好ましい実施の形態を説明する。
【００１０】
本発明の好ましい実施の形態において、前記指示手段は、複数の放射線測定箇所と該複数の放射線測定箇所の測定順序を指示する。
【００１１】
本発明の好ましい実施の形態に係る空間線量率測定システムにおいて、前記判定手段は、前記放射線測定器が放射線測定を開始する前及び／又は終了した後に、前記ＩＤ読取装置が前記ＩＤ表示を読み取って出力するＩＤ情報と予め入力された測定箇所情報とを照合して正しい放射線測定箇所か否かを判定する。
【００１２】
本発明の好ましい実施の形態に係る空間線量率測定システムにおいて、前記判定手段は、前記放射線測定器が放射線測定中に、前記ＩＤ読取装置が前記ＩＤ表示を一回或いは二回以上又は継続して読み取って出力するＩＤ情報と予め入力された測定箇所情報とを照合して正しい放射線測定箇所か否かを判定する。
【００１３】
本発明の好ましい実施の形態に係る空間線量率測定システムは、放射線測定箇所ごとに前記ＩＤ読取装置が前記ＩＤ表示を読み取る時から前記放射線測定器が放射線測定を終了するまでの時間を計測する計時手段と、前記計時手段が計測した時間が予め設定された閾値を超えた場合に放射線測定箇所ごとに前記放射線測定情報を無効とする測定情報無効手段と、を有する。
【００１４】
【実施例】
以上説明した本発明の好ましい実施の形態をさらに明確化するために、以下図面を参照して、本発明の一実施例を説明する。
【００１５】
［実施例１］
図１は、本発明の一実施例に係る空間線量率測定システムの構成を説明するための図である。
【００１６】
図１を参照すると、本発明の実施例１に係る空間線量率測定システム（以下「現場測定システム１０」という）は、少なくとも空間線量率を測定可能な放射線測定器１と、バーコードリーダ２と、ＣＣＤカメラ３と、放射線測定器１、バーコードリーダ２及びＣＣＤカメラ３に接続された携帯端末（情報処理装置）５を含んで構成されている。現場測定システム１０は、イーサネット（登録商標）等のネットワークを介してホスト側システム２０に接続することができる。
【００１７】
バーコードリーダ２は、放射線測定箇所に予め設置されたＩＤ表示を読み取り可能なＩＤ読取装置である。ＣＣＤカメラ３は、放射線測定箇所を撮影することができる。携帯端末５は、放射線測定器１が出力する放射線測定情報とバーコードリーダ２が出力する測定箇所情報とを関連付けて保存及び／又は送信することができる。
【００１８】
携帯端末５は、ホスト側システム等２０から予め定められた放射線測定箇所を少なくとも含む放射線測定箇所指示情報３０を受信（ダウンロード）する受信手段５ｃと、受信手段に接続され、放射線測定箇所指示情報３０、例えば、表示手段上にマップ又は写真上に放射線測定箇所を表示する指示手段５ｇと、放射線測定器１が出力する放射線測定情報３１と、バーコードリーダ２が読み取って出力するＩＤ情報３２とを受信して（とが入力されて）、ＩＤ情報３２、指示手段５ｇによって指示された放射線測定箇所（放射線測定箇所指示情報）３０とを照合して、放射線測定が正しい放射線測定箇所で実行されたか否かを判定する判定手段５ａとを有する。判定手段５ａは、放射線測定が正しいと判定した場合、放射線測定情報３１とＩＤ情報３２とを関連付けた情報３３を、送信手段５ｂを介してホスト側システム２０に送信（アップロード）し、或いは、保存手段５ｈを介して携帯端末５及び／又は図２のコンピュータ８が記録媒体に保存させる。また、送信手段５ｂは、ＣＣＤカメラ３によって撮影された放射線測定箇所の画像情報を、ホスト側システム２０に送信することができる。
【００１９】
なお、判定手段５ａは、放射線測定器１が放射線測定中に、バーコードリーダ２が測定現場に予め設置されているＩＤ表示を一回或いは二回以上又は継続して読み取って出力するＩＤ情報と、例えば、後述する図５のステップ５０４で予め入力された測定箇所情報とを照合して正しい放射線測定箇所か否かを判定することができる。なお、判定手段５ａによる判定（図６参照）は、放射線測定を開始する前（例えば図５のステップ５０５の前）及び／又は終了した後（例えば図５のステップ５０５の後）に行うことができる。
【００２０】
さらに、携帯端末５は、放射線測定箇所ごとにバーコードリーダ２が前記ＩＤ情報を読み取る時から放射線測定器１が放射線測定を終了するまでの時間を計測する計時手段５ｄと、計時手段５ｄが計測した時間が予め設定された閾値を超えた場合に放射線測定箇所ごとに前記放射線測定情報を無効とする無効手段５ｅと、無効手段５ｅに接続され判定手段５ａの判定結果に基づいて出力される無効手段５ｅによる無効を警報する警報手段５ｆと、を有する。
【００２１】
図２は、本発明の一実施例に係る空間線量率測定システムの適用例を説明するための図であって、図１に示した本発明の実施例１に係る空間線量率測定システム（現場測定システム）が接続される、ホスト側システムの構成を説明するための図である。
【００２２】
図２を参照すると、ホスト側システム２０は、放射線測定箇所の図面及び写真をスキャンして画像データを出力するスキャナ６、放射線測定箇所に関する情報を含む放射線サーベイデータを管理するサーバー７と、現場測定システム側から送信された放射線サーベイデータを受信し、スキャナ６から送信された画像データを受信し、サーバー７にアクセスして放射線測定箇所に関する情報を含む放射線サーベイデータを送受信するコンピュータ８と、放射線測定箇所に関する情報を含む放射線サーベイデータを含む情報をコンピュータ８からの指令によって印刷するプリンタ９と、を含んで構成されている。
【００２３】
図３は、図２に示したホスト側システムの動作を説明するためのフローチャートである。図３を参照すると、本発明の一実施例に係る空間線量率測定システムのホスト側のシステムにおいて、図１のコンピュータ８は、操作者に、（Ａ）基本情報登録と、（Ｂ）基本情報ダウンロードと、（Ｃ）サーベイデータ・アップロードと、（Ｄ）サーベイデータ登録保存と、を選択させる。
【００２４】
図４（Ａ）〜図４（Ｄ）は、図３に示した選択処理の詳細をそれぞれ説明するためのフローチャートである。
【００２５】
図４（Ａ）を参照すると、基本情報登録の処理が選択された場合、図２のスキャナ６により放射線測定箇所の図面又は写真が読み込まれ、操作者は、コンピュータ８上で図面の属性として作業内容等を設定し、サーバー７に登録する。
【００２６】
図４（Ｂ）を参照すると、基本情報ダウンロードの処理が選択された場合、図２のコンピュータ８から現場測定システム１０側の携帯端末５に放射線測定箇所の図面又は写真が転送される（図１の放射線測定箇所指示情報３０参照）。
【００２７】
図４（Ｃ）を参照すると、サーベイデータ・アップロードの処理が選択された場合、図１の現場測定システム１０側の携帯端末５から図２のコンピュータ８に放射線測定データと放射線測定箇所の図面又は映像が転送される。
【００２８】
図４（Ｄ）を参照すると、サーベイデータ登録保存の処理が選択された場合、図２のコンピュータ８は図１の現場測定システム１０から送信された放射線測定データと、放射線測定箇所に関する図面等からサーベイデータを作成し、図２のサーバ７に登録する。
【００２９】
図５は、本発明の一実施例に係る空間線量率測定システム（図１の現場測定システム側１０）の動作を説明するためのフローチャートである。
【００３０】
図５を参照すると、測定者は図１のＣＣＤカメラ３を用いるか否かを選択する（ステップ５０１）。ＣＣＤカメラ３を用いない場合、測定者は図１の携帯端末５上で放射線測定場所の図面を選択し表示させ（ステップ５０２〜５０３）、表示された図面上の測定箇所を指示する（ステップ５０４）。続いて、測定者は後述する処理▲２▼を行い、サーベイデータが登録されると（ステップ５０５）、表示された図面上に線量率等のサーベイデータが表示される（ステップ５０６〜５０７）。測定者が測定終了を選択した場合には（ステップ５０８）、ホスト側へ転送されるデータが携帯端末５で作成される（ステップ５０９）。
【００３１】
ＣＣＤカメラ３を用いる場合、測定者は、携帯端末５上に放射線測定場所に関連する図面を選択し表示させ（ステップ５１０〜５１１）、ＣＣＤカメラ３で現場状況を撮影し（ステップ５１２）、前記図面上に撮影した現場状況を重ねて表示させる（ステップ５１３）。以下のステップ５１４から５１９の処理は、前述のステップ５０４からステップ５０９の処理と共通である。
【００３２】
図６は、図５に示したフローチャート中の処理▲２▼の動作を説明するためのフローチャートである。
【００３３】
図６を参照すると、処理▲２▼においては、計時手段５ｄによる計時がスタートし（ステップ６０１）、測定者がバーコードリーダ２で測定現場に予め設置されているＩＤ表示を読み取り（ステップ６０２）、測定者が放射線測定を実行し（ステップ６０３）、ＩＤ表示と放射線測定データが関連付けて携帯端末５に一時記憶され、計時がストップする（ステップ６０４）。判定手段５ａは、計時時間が予め設定されている時間（閾値）を超えているか否かを判定し（ステップ６０５）、超えていない場合には、前記測定は有効とされ（ステップ６０６）、超えている場合には、無効手段５ｅによって前記測定は無効とされる（ステップ６０７）。
【００３４】
以上説明した本発明の一実施例に係る空間線量率測定システムによれば、ＩＤ表示読み取りから放射線測定終了までの時間を計時することによって、放射線測定箇所の間違いを判定することができるため、放射線サーベイデータに対する信頼性を向上させることができる。
【００３５】
【発明の効果】
本発明によれば、定点における空間線量率測定に際して、正確な測定位置で誤りなく測定をすることができ、それによって、空間線量率の経時変化を正しく評価できるようになる。更に、測定位置周辺の映像データをデジタル情報として合わせて照合すれば、経時変化の要因分析に対しても大きな効果を発揮する。
【図面の簡単な説明】
【図１】本発明の一実施例に係る空間線量率測定システムの構成を説明するための図である。
【図２】本発明の一実施例に係る空間線量率測定システムの適用例を説明するための図である。
【図３】図２に示したホスト側システムの動作を説明するためのフローチャートである。
【図４】（Ａ）〜（Ｄ）は、図３に示した選択処理の詳細をそれぞれ説明するためのフローチャートである。
【図５】本発明の一実施例に係る空間線量率測定システムが有する現場測定システム側の動作を説明するためのフローチャートである。
【図６】図５に示したフローチャート中の▲２▼の動作を説明するためのフローチャートである。
【符号の説明】
１  放射線測定器
２  バーコードリーダ
３  ＣＣＤカメラ
４  インターフェイスユニット
５  携帯端末
５ａ  判定手段
５ｂ  送信手段
５ｃ  受信手段
５ｄ  計時手段
５ｅ  無効手段
５ｆ  警報手段
５ｇ  指示手段
５ｈ  保存手段
６  スキャナ
７  サーバー
８  コンピュータ
９  プリンタ
１０  現場測定システム（空間線量率測定システム）
２０  ホスト側システム
３０  放射線測定箇所指示情報
３１  放射線測定データ（放射線測定情報）
３２  ＩＤ情報（放射線測定箇所情報）
３３  放射線測定情報３１とＩＤ情報３２とを関連付けた情報
【図１】
2004205374.tif 000003
【図２】
2004205374.tif 000004
【図３】
2004205374.tif 000005
【図４】
2004205374.tif 000006
【図５】
2004205374.tif 000007
【図６】
2004205374.tif 000008